(57)【特許請求の範囲】
【請求項１】
製品を分配する分配ノズル（２４）と、
製品を冷却し冷却製品を前記分配ノズルに送る冷却装置（２３）と、
製品源（２１）と、
製品源（２１）から製品を冷却装置（２３）へ送る製品ライン（２１Ａ）と、
製品源から冷却装置への製品の分配を調整するように製品ライン（２１Ａ）の途中に且つ冷却装置の前のみに配置される弁（２２）と、を有し、
前記冷却装置（２３）は、冷却製品を最小限の長さを有する製品管（２４Ａ）を用いて分配ノズルに送る飲料ディスペンサ。
【請求項２】
飲料を分配する分配ノズル（３９）と、
冷却装置（３６）と、
冷却シロップを前記分配ノズルに送るために冷却装置に配置されるシロップコイル（３７）と、
冷却された混合流体を前記分配ノズルに送るために冷却装置によって冷却された調整流体源と、
シロップ源（３１）と、
シロップ源（３１）からシロップをシロップコイル（３７）へ送るシロップライン（３１Ａ）と、
前記シロップ源から前記シロップコイルへのシロップの分配を調整するために前記シロップラインの途中に且つシロップコイルの前のみに配置される弁（３４）と、を有し、
前記シロップコイル（３７）は、冷却シロップを最小限の長さを有するシロップ管（３７Ａ）を用いて前記分配ノズル（３９）に送る飲料ディスペンサ。
【請求項３】
請求項２の飲料ディスペンサであって、
前記調整流体源は、冷却水を前記分配ノズルに送るために冷却装置（３６）に配置された水ラインと、水源（３３）と、前記水源から冷却装置への水の送りを調整するように冷却装置の前のみに配置される流れコントローラ（３５）と、を有する飲料ディスペンサ。
【請求項４】
前記水ラインは冷却水を最小限の長さを有する水の管（３８Ａ）を用いて分配ノズルに送る請求項３に記載の飲料ディスペンサ。
【請求項５】
請求項２の飲料ディスペンサであって、前記調整流体源は、冷却水を分配ノズル（３９）に送るために冷却装置（３６）に配置された水ラインと、水源（３３）と、前記水ラインから前記分配ノズルへの冷却水の分配を調整するために前記水ラインと分配ノズルとの間に配置された流れコントローラ（３５）と、を有する飲料ディスペンサ。
【請求項６】
請求項２の飲料ディスペンサであって、前記調整流体源は、冷却炭酸水を前記分配ノズルに送るために前記冷却装置に配置される炭酸化装置（３８）と、二酸化炭素ガスを前記炭酸化装置に送るための二酸化炭素ガス源（３２）と、水源（３３）と、前記水源から前記炭酸化装置への水の分配を調整するために前記炭酸化装置の前のみに配置された流れコントローラ（３５）と、を有する飲料ディスペンサ。
【請求項７】
前記炭酸化装置は前記冷却炭酸水を最小限の長さを有する炭酸水管（３８Ａ）を用いて前記分配ノズルに送る請求項６の飲料ディスペンサ。
【請求項８】
請求項２の飲料ディスペンサであって、前記調整流体源は、冷却炭酸水を前記分配ノズル（３９）に送るために前記冷却装置（３６）に配置される炭酸化装置（３８）と、二酸化炭素ガスを前記炭酸化装置に送るための二酸化炭素ガス源（３２）と、水を炭酸化装置に送る水源（３３）と、前記炭酸化装置から前記分配ノズルへの冷却炭酸水の分配を調整するために炭酸化装置と分配ノズルとの間に配置された流れコントローラと、を有する飲料ディスペンサ。
【発明の詳細な説明】
【０００１】
【発明の属する技術分野】
本発明は飲料ディスペンサに関し、特に、所望の低温で分配される飲料の数を増やすことによってディスペンサの性能を大きく改良する飲料ディスペンサの構成に関する。
【０００２】
【従来の技術】
図１は、従来技術の飲料ディスペンサ１０のブロック図である。飲料ディスペンサ１０は、シロップコイルと炭酸化装置１３を備えた冷却室１１を有する。さらに飲料ディスペンサ１０は、分配弁１４を有し、この分配弁１４は、飲料ディスペンサ１０に取り付けられるとともにシロップコイル１２及び炭酸化装置１３に接続される。飲料ディスペンサ１０は、図示しないが、冷蔵ユニットを有し、冷蔵ユニットは、冷却室１１内の冷却流体をほぼ０℃（約３２°Ｆ）に維持するために冷却室１１に延びている蒸発コイルを有する。
【０００３】
シロップ源１５は、分配弁１４から分配される前に冷却するために飲料シロップを分配するシロップコイル１２に接続されている。シロップ源１５は、フィガル（figal)かボックス装置のバッグである。シロップ源がボックス装置のバッグであるとき、飲料ディスペンサ１０は、シロップをシロップコイルに送るポンプを含む。
【０００４】
二酸化炭素ガス源１６及び水源１７は、二酸化炭素と水を配分するために炭酸化装置１３に接続されている。飲料ディスペンサ１０は、必ずしも必要ではないが、水を炭酸化装置１３に送るポンプを含む。炭酸化装置１３は、カーボネータからなり、カーボネータは、二酸化炭素ガス源１６及び水源１７から配分された水と二酸化炭素ガスとから炭酸水を生成する。さらに炭酸化装置１３は、水ラインを有し、このラインは、水を冷却するためにカーボネータの前か、分配弁１４に送る前に炭酸水を冷却するためにカーボネータの後方に配置される。
【０００５】
分配弁１４が開放するように作動するとき、カップに分配する前に調量された炭酸水とシロップが分配ノズルで混合される。分配弁１４は調量された炭酸水とシロップを分配する前に適当な比を有するシロップと炭酸水からなる飲料を有する。
【０００６】
【発明が解決しようとする課題】
飲料ディスペンサ１０は、大気温度が３７．８℃（１００°Ｆ）のとき、所望の温度以下の飲料を分配するために適当に作動するが、大気温度が３７．８℃（１００°Ｆ）以上に上昇するとき飲料を所望の温度以下で分配しない。シロップコイル１２及び炭酸化装置１３は、４．４℃（４０°Ｆ）の所望の分配温度以下の温度にシロップと炭酸水を冷却する。都合の悪いことに、分配弁１４は、冷却室１１の外側にある。したがって、「カジュアル（時偶）」に使用されるとき、分配弁１４と、シロップコイル１２と炭酸化装置１３との間に含まれる大量のシロップ及び炭酸水が露出され、したがって、大気温度まで加熱される。その結果、飲料の分配時に加熱されたシロップと炭酸水は、シロップコイル１２と炭酸化装置１３から分配される冷たいシロップと炭酸水と組み合わせられ、分配される飲料の温度を４．４℃（４０°Ｆ）の所望の温度の外側に上昇させる。
【０００７】
さらに、飲料ディスペンサ１０は、シロップ及び炭酸水がシロップ及び炭酸水が大気温度まで加熱されるように十分に長い期間にわたって分配弁１４内にはないように広範囲に使用されるときでも、分配弁１４自身は、通過する冷却シロップ及び炭酸水が分配弁１４からの熱を吸収し、４．４℃（４０°Ｆ）の所定の温度以上に分配飲料の温度を大気温度まで加熱し上昇させる。したがって、飲料分配器１０の構成は最適ではない。なぜならば、大気温度が３７．８℃（１００°Ｆ）以上のとき、所望の温度以下の飲料をつくることができないからである。
【０００８】
したがって、温度が普通に３７．８℃（１００°Ｆ）を越える環境で４．４℃（４０°Ｆ）の所望の温度で飲料を分配する飲料ディスペンサ構成は、従来技術の飲料ディスペンサ構成を改善するものである。
【０００９】
【課題を解決するための手段】
本発明によれば、飲料ディスペンサは、製品を分配する分配ノズルを含む。
冷却装置は、最小限の長さの製品管を用いてディスペンサノズルに冷却製品を送る前に製品を冷却する。飲料ディスペンサは、製品源と、前記製品源から前記冷却装置への製品の分配を調整するように前記冷却装置の前に配置された流れコントローラと、を有する。
【００１０】
他の実施形態において、前記冷却装置は、冷却装置と、飲料を分配する飲料ノズルとを有する。冷却装置に配置されたシロップコイルは、最小限の長さを有するシロップ管を用いて冷却シロップを分配ノズルに送る。冷却装置によって冷却された調整混合流体源は冷却混合流体源を分配ノズルに送る。飲料ディスペンサは、シロップ源と、前記シロップ源からシロップコイルへのシロップの分配を調整するために前記シロップコイルの前に配置された流れコントローラと、を有する。
【００１１】
第１の構成による調整混合流体源は、最小限の長さを有する水管を用いて冷却された水を前記分配ノズルに送るために冷却装置に配置された水ラインを有する。調整混合流体源は、水源と、水源から水ラインへの水の送りを調整するように前記水ラインの前に配置された流れコントローラと、を有する。
【００１２】
第２の構成による調整混合流体源は、冷却水を分配ノズルに送るために冷却装置に配置された水ラインを有する。水源は、水を水ラインに送り、水ラインと分配ノズルとの間に配置された流れコントローラは、水ラインから前記分配ノズルへの冷却水の分配を調整する。
【００１３】
第３の構成による調整混合流体源は、最小限の長さを有する炭酸水管を用いて冷却炭酸水を前記分配ノズルに送るために前記冷却装置に配置された炭酸化装置を有する。調整混合流体源は、水源と、水源から前記炭酸化装置への水の分配を調整するために前記炭酸化装置の前に配置された流れコントローラと、を有する。第４の構成の調整混合流体源は、冷却炭酸水を前記分配ノズルに送るために前記冷却装置に配置された炭酸化装置を有する。二酸化炭素ガス源は、二酸化炭素ガスを前記炭酸化装置に送る。水源は、水を炭酸化装置に送る。前記炭酸化装置と分配ノズルとの間に配置された流れコントローラは、炭酸化装置から前記分配ノズルへの冷却炭酸水の分配を調整する。
【００１４】
本発明は、また、所望の温度以下で製品を分配するために飲料ディスペンサの性能を向上する方法に係るものである。この方法は、製品を分配する分配ノズルを用意する工程と、分配ノズルに送る前に製品を冷却するための冷却装置を用意する工程と、製品を分与する手段を含む製品源を用意する工程と、製品源から製品を冷却装置へ送る製品ラインを用意する工程と、前記製品源から冷却装置に製品ラインを介し製品を送る工程と、前記製品ラインの途中に且つ冷却装置の前に配置される流れコントローラを用いて製品源から冷却装置への製品の分配を調整する工程と、を含む。
【００１５】
【発明の実施の形態】
図２は、たとえ、３７．８℃（１００°Ｆ） を越える大気温度で作動するときも４．４℃（４０°Ｆ）の温度以下の「カジュアル」ドリンクを含む製品の分配が可能な構成を有する飲料ディスペンサ２０を示している。飲料ディスペンサ２０は、製品源２１と、流れコントローラ２２と、冷却装置２３と、分配ノズル２４とを含む。製品源２１は、ボックス装置のフィガルまたはバッグを用いて分配される炭酸を含む後混合または前混合飲料のような適当な飲料を含む。ボックス装置のバッグが使用されるとき、飲料ディスペンサ２０は、製品ポンプ（図示せず）を含む。
【００１６】
流れコントローラ２２は、製品ライン２１Ａに沿って配置され、製品源２１から冷却装置２３に供給される製品量、したがって、分配ノズル２４から供給される製品の量を調整する。流れコントローラ２２は、製品流が製品源２１から冷却装置２３に流れることができるように機械的にまたは電気的のいずれかに作動される弁である。特に、弁は、ソレノイド弁であり、このソレノイド弁は、ユーザが起動するスイッチを押すか連続して保持することによって開放するか、ユーザが起動するスイッチに応答して所定の時間開放するか、または製品源２１が所望の量の製品を分配することを流れメータが決定するまでユーザが作動するスイッチに応じて開放する。好ましい流れコントローラは、ソレノイド作動弁であるが、当業者は、このソレノイド弁を機械的流れコントローラ、正の移動流れコントローラまたは調整された流れコントローラと置換できることは理解できるであろう。
【００１７】
冷却装置２３は、冷却室を画成するハウジングを有する。冷却室は、冷却流体を含むが、ハウジングは、その冷却ユニットを有するプラットフォームを支持する。冷却ユニットは、蒸発コイルを有し、この蒸発コイルは、冷却室を０℃（約３２°Ｆ）に維持するために冷却流体バンクをつくる。さらに冷却室は、製品ライン２１Ａへの入口及び分配ノズル２４への出口に接続される製品コイルを有する。図２のブロックダイヤグラムには示さないが、流れコントローラ２２が冷却装置２３のプラットフォームに取り付けられることは当業者にとって理解できよう。別の案として、冷却装置２３は、中に冷却プレートまたは製品を冷却するための他の適当な手段を有する氷貯蔵容器からなる。
【００１８】
分配ノズル２４は、最小限の長さを有する製品管２４Ａを用いて冷却装置２３の製品コイルに接続される。分配ノズル２４は、製品コイルからカップに製品を分配し、この好ましい実施形態において、分配ノズル２４は、カップに製品を流す適当なノズルである。
【００１９】
動作において、ユーザは流れコントローラ２２を開放するスイッチを押し、もし必要であれば、飲料ディスペンサ２０の製品ポンプを作動させる。製品源２１は、流れコントローラ２２が開放することによって、冷却装置２３の冷却コイルに製品を分配する。冷却装置２３の冷却コイルに入る製品は、冷却された製品を冷却コイル内で移動させ、冷却コイルから製品管２４Ａ及び分配ノズル２４を通って下に配置されたカップに流れる。流れコントローラ２２は、その型式に依存して製品の流れが可能になるように開放されたままになる。
【００２０】
もし流れコントローラ２２がユーザによって制御されるソレノイド弁である場合には、ユーザが飲料ディスペンサ２０の作動スイッチを解放するまで開放されたままである。流れコントローラ２２がプリセットされた時間に作動するソレノイドであるとき、飲料ディスペンサ２０は、プリセット時間が終了するまで、ソレノイド弁の開放を維持する電気制御装置を含む。流れコントローラ２２が流れメータと組み合わされた使用されるソレノイド弁である場合、飲料ディスペンサ２０は、電気制御装置を含み、この制御装置は、流れメータを監視し、流れメータが製品源２１から送られる所望の製品量と整合するときソレノイド弁を作動させる。
【００２１】
図２に示した飲料ディスペンサ２０の構成は、他の飲料ディスペンサを改良する。なぜならば、分配弁が冷却装置の後に配置されているときに生じる問題をなくすからである。飲料ディスペンサ２０において、製品源２１内の製品は、大気温度にある。なぜならば、製品源は、通常冷却されないからである。その結果、製品源２１から、製品ライン２１Ａ及び流れコントローラ２２を通り冷却装置２３に流れる製品は、流れコントローラ２２からの熱を受けない。なぜならば、流れコントローラ２２は、冷却装置２３の前に配置されており、この製品は、大気温度であるからである。製品ライン２１Ａは、製品を冷却装置２３に送り、これは、製品を所望の飲料分配温度４．４℃（４０°Ｆ）以下の温度に冷却する。冷却装置２３は、製品管２４Ａを介して分配ノズル２４に製品を送る。製品管２４Ａの最小限の長さは、４．４℃（４０°Ｆ）の所望の分配温度以上に製品温度を上昇するような十分な熱量を付与しないような長さである。
【００２２】
さらに製品管２４Ａの最小限の長さは、飲料ディスペンサが「カジュアル」に使用されているとき、製品温度を４．４℃（４０°Ｆ）の所望の飲料分配温度以上の温度に上昇させる十分な製品量を収容しないような長さである。したがって、飲料ディスペンサは、流れコントローラ２２を冷却装置２３の前に配置することによって、及び製品を分配ノズル２４に送る製品管２４Ａの長さを最小限にすることによって大気温度が３７．８℃（１００°Ｆ）を越えるときでも所望の飲料分配温度４０°以下で飲料を容易に分配することができる。
【００２３】
図３は、炭酸飲料を分配することができる構成を有する飲料ディスペンサ３０を示しており、これは、３７．８℃（１００°Ｆ）を越える大気温度で作動するときでも４．４℃（４０°Ｆ）の所望の分配温度以下の「カジュアル」飲料を含む。飲料ディスペンサ３０は、シロップ源３１と、シロップライン３１Ａ、二酸化炭素ガス源３２と、水源３３と、水ライン３３Ａ、流れコントローラ３４及び３５と、冷却装置３６と、シロップコイル３７と、炭酸化装置３８と、分配ノズル３９とを有する。シロップ源３１は適当な飲料シロップを収容し、このディスペンサ３０は、ボックス装置のフィガルまたはバッグを用いて分配される。飲料ディスペンサ３０は、ボックス装置のバッグが使用されるとき、シロップポンプ（図示せず）を有する。二酸化炭素ガス源３２は、二酸化炭素ガスを供給する炭酸化装置３８に接続されている。公共水道である水源３３は、水を分配するために水ライン３３Ａを介して炭酸化装置３８に接続されている。必要ならば、飲料ディスペンサ３０は、水を炭酸化装置に送るポンプを有する。二酸化炭素ガス源３２、水源３３、水ライン３３Ａ、流れコントローラ３５、及び炭酸化装置３８は、飲料ディスペンサ３０の調整された混合流体源を形成する。飲料ディスペンサは炭酸飲料を分配する構成であるが、当業者は、飲料ディスペンサ３０が非炭酸飲料を分配するように調整された混合流体源を含むように冷却装置３６に配置された水ラインと、二酸化炭素ガス源及び炭酸化装置３８とを置換することができることは理解できよう。
【００２４】
流れコントローラ３４は、シロップライン３１Ａに沿って位置され、シロップ源３１からシロップコイル３７に送られるシロップの量、すなわち、分配ノズル３９から出るシロップの量を調整する。この好ましい実施形態における流れコントローラ３４は、シロップ源３１からシロップコイル３７に製品源が流れることができるように機械的または電気的に作動する弁である。特に、弁は、ソレノイド弁であり、これは、ユーザが起動するスイッチを押すか連続して保持することによって開放するか、ユーザが起動するスイッチに応答するか、または流れコントローラ３５に関連する流れメータによって制御されて開放される。好ましい流れコントローラは、ソレノイド作動弁であるが、当業者は、これを機械的流れコントローラ、正の移動流れコントローラまたは調整された流れコントローラと置換できることは理解できるであろう。
【００２５】
流れコントローラ３５は、水ライン３３Ａに沿って位置され、水源３３から炭酸化装置３８に送られる水の量、すなわち、分配ノズル３９から分配される炭酸水の量を調整する。この好ましい実施形態における流れコントローラ３５は、水源３３から炭酸化装置３８に製品源を流すことができるように機械的または電気的に作動する弁である。特に、弁は、ソレノイド弁であり、これは、ユーザが起動するスイッチを押すか連続して保持することによって開放するか、ユーザが起動するスイッチに応答して所定の時間開放するか、または流れメータが水源３３が所望の水を分配するまでユーザが起動するスイッチに応答して開放される。好ましい流れコントローラは、ソレノイド作動弁であるが、当業者は、これを機械的流れコントローラ、正の移動流れコントローラまたは調整された流れコントローラと置換できることは理解できるであろう。
【００２６】
冷却装置３６は、冷却室を有し、この冷却室は、冷却流体を含み、冷却ユニットを有するプラットフォームを支持している。冷却装置ユニットは、冷却室を０℃（３２°Ｆ）に維持する冷却流体貯蔵室をつくるために冷却室に延びている蒸発コイルを含む。シロップコイル３７は、冷却室内にあり、入口がシロップライン３１Ａに、出口が分配ノズル３９に接続されている。また、炭酸化装置３８は、冷却室内にあり、ガス入口が二酸化炭素ガス源に、水の入口が水ライン３３Ａに、炭酸水出口が分配ノズル３９に接続されている。図３のブロック図には示さないが、流れコントローラ３４及び３５は、冷却装置３６の冷却室によって支持されたプラットフォームに取り付けられることは当業者には明らかであろう。別の例として、ハウジングは、冷却プレートまたはシロップ及び炭酸水を冷却する他の適当な手段を中に収容する。
【００２７】
炭酸化装置３８は、カーボネータを備え、このカーボネータは、二酸化炭素ガス源３２と水源３３から供給される二酸化炭素及び水から炭酸水を形成する。炭酸化装置３８は、水を予め冷却するためにカーボネータの前か、または分配ノズル３９に分配する前に炭酸水を冷却するためにカーボネータの後に配置される水ラインを有する。
【００２８】
分配ノズル３９は、最小限の長さのシロップ管３７Ａを用いてシロップコイル３７に接続される。同様に、分配ノズル３９は、最小限の長さの炭酸水管３８Ａを用いて炭酸化装置３８に接続される。分配ノズル３８は、シロップコイルからシロップを、炭酸化装置３８から炭酸水を受け、カップに炭酸水を分配する前にシロップと炭酸水を混合して炭酸飲料を生成する。この好ましい実施形態において、分配ノズル２４は、カップに炭酸水を分配する前にシロップと炭酸水を混合して炭酸飲料を生成する。
【００２９】
動作において、ユーザはスイッチを押して流れコントローラ３４及び３５を開放し、必要である場合には、飲料ディスペンサ３０のシロップポンプ及び水ポンプを作動する。流れコントローラ３４が開放することによって、シロップ源３１はシロップをシロップライン３１Ａを介しシロップコイル３７に送る。シロップライン３１Ａを介しシロップコイル３７に入るシロップは、冷却されたシロップをシロップコイル３７で移動し、シロップコイル３７からシロップ管３７Ａを通って分配ノズル３９を出て下のカップに流れる。同様に、コントローラ３５が開放し、水源３３は、水ライン３３Ａを介し、水を炭酸化装置３８に送る。炭酸化装置３８に入る水は、炭酸装置３８内で炭酸水を移動させ、炭酸化装置から炭酸水管３８Ａを通って分配ノズル３９を出て下のカップに流れる。流れコントローラ３４及び３５は、それらの型式に依存してシロップ及び炭酸水が流れることができるように開放したままである。
【００３０】
もし、流れコントローラ３４及び３５がユーザによって制御されたソレノイド弁である場合には、それらは、ユーザが飲料ディスペンサ３０の作動スイッチを解放するまで開放したままである。流れコントローラ３４及び３５がプリセットされた時間にわたって作動するソレノイド弁であるとき、飲料ディスペンサ３０は、プリセット時間が終わるまでソレノイド弁の開放を維持する電子制御装置を含む。流れコントローラ３４及び３５が流れメータと組み合わされて使用されるソレノイド弁である場合には、飲料ディスペンサ３０は、電子０制御装置を含み、この電子制御装置は、流れメータを監視し流れメータが所望の量の炭酸水が水源３３から配分されていることを決定したときソレノイド弁を起動する。
【００３１】
図３に示す飲料ディスペンサ３０の構成は、他の飲料ディスペンサを改良する。なぜならば、シロップコイル３７及び炭酸化装置３８の前に流れコントローラ３４及び３５を配置することによって、分配弁が冷却装置の後に配置されるときに生じる問題をなくす。飲料ディスペンサ３０において、シロップ源３１のシロップ及び水源３３の水は、大気温度である。なぜならば、シロップ及び水源は通常冷却されないからである。その結果、シロップ源３１から、シロップライン３１Ａ及び流れコントローラ３４を通ってシロップコイル３７に流れるシロップは、流れコントローラ３４からの熱をそれ以上受けない。なぜならば、流れコントローラ３４は、シロップコイル３７の前に配置され、シロップは、すでに大気温度になっているからである。同様に、水源３３から、水ライン３３Ａ及び流れコントローラ３５を通って炭酸化装置３８に流れる水は、流れコントローラ３５からの熱をそれ以上受けない。
【００３２】
なぜならば、流れコントローラ３５は、炭酸化装置の前に配置され、水は、すでに大気温度なっているかからである。流れコントローラ３４は、シロップをシロップコイル３７に送り、これはシロップを４．４℃（４０°Ｆ）の所望の飲料分配温度の下の温度に冷却する。流れコントローラ３５は、水を炭酸化装置３８に送り、この装置３８は、水を炭酸化し、これは水を４．４℃（４０°Ｆ）の所望の飲料分配温度の下の温度に冷却する。シロップコイル３７及び炭酸化装置３８は、シロップ及び炭酸水をシロップ管３７Ａ及び炭酸水管３８Ａを介してシロップ及び炭酸水を分配ノズル３９に送る。シロップ管３７Ａ及び炭酸水管３８Ａは、シロップ及び炭酸水の温度が４．４℃（４０°Ｆ）の所望の飲料分配温度以上にシロップ及び炭酸水を上昇させる十分な熱量を付与しないようなの最小限の長さとされている。
【００３３】
さらに、シロップ及び炭酸水管は、それらの温度が飲料ディスペンサ３０が「カジュアル」に使用されるとき、４．４℃（４０°Ｆ）の所望の飲料分配温度以上にシロップ及び炭酸水を上昇させる十分な量のシロップ及び製品の温度を含まないように最小限の長さになっている。したがって、飲料ディスペンサ３０は、シロップコイル３７及び炭酸化装置３８の前に流れコントローラ３４及び３５を配置すること、シロップ及び炭酸水を分配ノズル３９に配分するシロップ管３７Ａ及び炭酸水管３８Ａの長さを最小限にすることによって、大気温度が３７．８℃（１００°Ｆ）を越えるときでも所望の飲料分配温度で飲料を容易に分配することができる。
【００３４】
図３に示す実施例は、炭酸化装置３８の前に配置された流れコントローラ３５を使用する。なぜならば、それは飲料ディスペンサ３０の最適な構成であるからである。それにもかかわらず、当業者は、炭酸化装置３８の後に流れコントローラ３５を配置することによって飲料ディスペンサ３０の性能を大きく低下することなく製造上の複雑性を低減することができることは理解できよう。飲料ディスペンサ３０の性能は、ほとんど低下しない。なぜならば、炭酸飲料を製造するために使用される炭酸水の量は、炭酸化装置の後に配置された流れコントローラに含まれる炭酸水の量が飲料の全体の分配温度に影響を与えるにはあまりにも小さい量であるからである。
【００３５】
本発明を前述した 実施の形態に関して説明したが、このような説明は、例示を目的とするもので、当業者には、本発明の範囲内にある多数の変形例、透過物及び種々の程度の変更例が明らかになろう。したがって、前述した説明には制限されないが、次の請求の範囲によってのみ明らかにされる。
【図面の簡単な説明】
【図１】  従来技術の飲料ディスペンサの構成を示すブロック図である。
【図２】  好ましい実施形態による飲料ディスペンサの構成を示すブロック図である。
【図３】  炭酸飲料を分配する飲料ディスペンサの構成を示すブロック図である。
【図１】
0004142849.tif 000002
【図２】
0004142849.tif 000003
【図３】
0004142849.tif 000004